(57)【特許請求の範囲】
【請求項１】
地図情報を表示する表示部の画面に、受信した交通情報に基づく表示を前記地図情報に表示する情報処理装置であって、
交通規制される規制領域に関する領域規制情報を取得する領域規制情報取得手段と、
前記規制領域の内部で、交通規制のされていない非規制道路に関する非規制道路情報を取得する非規制道路情報取得手段と、
前記表示部の画面上の前記規制領域に交通規制を示す所定表示を行う表示制御手段と、
前記規制領域の内部の前記非規制道路について、前記規制領域の外部の非規制道路と同一表示とする非規制道路表示制御手段と、を有し、
前記非規制道路表示制御手段は、前記表示部の画面上に表示される地図情報の表示縮尺が所定数以上のときに、前記規制領域の内部の前記非規制道路について、前記規制領域の外部の前記非規制道路と同一表示とする情報処理装置。
【請求項２】
前記非規制道路表示制御手段は、前記表示制御手段により前記所定表示された前記規制領域の内部の前記非規制道路を、前記規制領域の外部の前記非規制道路と同一表示となるように再描画する請求項１に記載の情報処理装置。
【請求項３】
前記非規制道路表示制御手段は、前記表示制御手段による前記規制領域への前記所定表示のうち前記非規制道路にされた前記所定表示を解除させる請求項１に記載の情報処理装置。
【請求項４】
前記非規制道路表示制御手段は、前記規制領域の内部の前記非規制道路を、前記規制領域の外部の前記非規制道路と同一表示となるように、前記表示制御手段による前記規制領域への前記所定表示のうち前記非規制道路にされた前記所定表示を変更させる請求項１に記載の情報処理装置。
【請求項５】
前記表示制御手段は、前記規制領域への前記所定表示を、所定の色の着色表示とする請求項１乃至４のいずれかに記載の情報処理装置。
【請求項６】
地図情報を表示する表示部の画面に、受信した交通情報に基づく表示を前記地図情報に表示する情報処理装置の画面表示方法であって、
交通規制される規制領域に関する領域規制情報を取得する領域規制情報取得ステップと、
道路を交通規制する道路規制情報及び前記地図情報に基づいて、前記規制領域の内部で、交通規制のされていない非規制道路に関する非規制道路情報を取得する非規制道路情報取得ステップと、
前記表示部の画面上の前記規制領域に交通規制を示す所定表示を行う表示制御ステップと、
前記規制領域の内部の前記非規制道路について、前記規制領域の外部の非規制道路と同一表示とする非規制道路表示制御ステップと、を有し、
前記非規制道路表示制御ステップは、前記表示部の画面上に表示される地図情報の表示縮尺が所定数以上のときに、前記規制領域の内部の前記非規制道路について、前記規制領域の外部の前記非規制道路と同一表示とする情報処理装置の画面表示方法。
【発明の詳細な説明】
【技術分野】
【０００１】
本発明は、地図情報を表示する表示部の画面に、受信した交通情報に基づく表示を前記地図情報に表示する情報処理装置及び該情報処理装置の画面表示方法に関する。
【背景技術】
【０００２】
道路交通情報通信システムのＶＩＣＳ（登録商標：以下同様）（道路交通情報通信システム：Vehicle Information and Communication System）では、電波ビーコン、光ビーコン、ＦＭ多重放送により道路交通情報を配信しており、文字や簡易図形を用いて車載装置等の情報処理装置の表示部画面上に表示する。さらに配信サービスとして、地図表示した画面上に交通規制の対象となる領域（エリア）の重畳表示の追加運用を行うことになっている。例えば、図５Ａに示すように、自車両１０１の位置を含む地図表示画面１０２上に、祭礼等の理由により車両通行禁止領域１０３が表示されているので、車両は車両通行禁止領域１０３を迂回すべく、矢印１０５ａ〜１０５ｄに沿った経路を走行することができる。
【０００３】
上記した交通規制情報による規制領域を回避するために、回避経路の探索を行う経路探索機能を備えたナビゲーション装置が提案されている（例えば、特許文献１参照）。このナビゲーション装置によれば、規制範囲を回避して目的地への経路誘導を行うことができる。
【先行技術文献】
【特許文献】
【０００４】
【特許文献１】特開２００８−２６８１４９号公報
【発明の概要】
【発明が解決しようとする課題】
【０００５】
ところで、上記した交通規制の対象となる規制領域は、図５Ｂに示すように、地図上を所定範囲にメッシュ状に区分けした部分１０６ａ〜１０６ｄ（地図上の他の区分け部分は表示を省略）に、位置座標ａ〜ｌを指定し、内部に位置する位置座標ｌを除いた残りの位置座標ａ〜ｋを線で結んで多角形に形成されたものであるが、位置座標の設定数には限りがあること、蛇行する道路の存在、道路幅の相違等の理由から表示された規制領域内には、通行可能な規制対象外のものが含まれてしまうことがある。そのため、本来は規制対象外である走行可能な道路であるにも関わらず、車両は不要な迂回をしてしまうことがある。
【０００６】
本発明は、このような事情に鑑みてなされたもので、交通規制の表示がされた交通規制領域に含まれる道路が、交通規制対象外であるときに、当該道路が交通規制対象外であることが画面上から容易に把握できる情報処理装置及びこの情報処理装置の画面表示方法を提供するものである。
【課題を解決するための手段】
【０００７】
上記課題を解決するために、地図情報を表示する表示部の画面に、受信した交通情報に基づく表示を前記地図情報に表示する情報処理装置であって、交通規制される規制領域に関する領域規制情報を取得する領域規制情報取得手段と、前記規制領域の内部で、交通規制のされていない非規制道路に関する非規制道路情報を取得する非規制道路情報取得手段と、前記表示部の画面上の前記規制領域に交通規制を示す所定表示を行う表示制御手段と、
前記規制領域の内部の前記非規制道路について、前記規制領域の外部の非規制道路と同一表示とする非規制道路表示制御手段と、を有し、前記非規制道路表示制御手段は、前記表示部の画面上に表示される地図情報の表示縮尺が所定数以上のときに、前記規制領域の内部の前記非規制道路について、前記規制領域の外部の前記非規制道路と同一表示とする構成となる。
【０００８】
このような構成によれば、表示制御手段により規制領域に交通規制を示す所定表示がされる場合でも、前記規制領域内の非規制道路については、非規制道路表示制御手段により前記規制領域の外部の非規制道路と同一表示とするので、規制領域の内部にあっても当該道路は規制対象外であることを容易に認識することができる。さらに、地図上での規制領域内の規制道路と非規制道路の識別が可能となる縮尺のとき、地図情報の表示縮尺が所定数以上のときに前記非規制道路について、前記規制領域の外部の前記交通規制の対象外の道路と同一表示とすることにしたものである。よって、表示縮尺が所定数に至らないときは、前記非規制道路表示制御手段による規制領域の内部の非規制道路について上述した規制対象外の道路との同一表示はなされない。
【０００９】
本発明に係る情報処理装置において、前記非規制道路表示制御手段は、前記表示制御手段により前記所定表示された前記規制領域の内部の前記非規制道路を、前記規制領域の外部の前記非規制道路と同一表示となるように再描画する構成とすることができる。
【００１０】
このような構成によれば、規制領域に交通規制を示す所定表示がなされても、所定領域内の非規制道路を所定領域外の前記交通規制の対象外の道路と同一表示となるように再描画するので、規制領域内の非規制道路については、規制対象外であることを容易に認識することができる。
【００１１】
本発明に係る情報処理装置において、前記非規制道路表示制御手段は、前記表示制御手段による前記規制領域への前記所定表示のうち前記非規制道路にされた前記所定表示を解除させる構成とすることができる。
【００１２】
このような構成によれば、規制道路表示制御手段により規制領域の内部の非規制道路の部分になされた前記所定表示を解除させるので、規制領域の内部の非規制道路については、規制対象外であることを容易に認識することができる。なお、規制領域内にある非規制道路の部分には、表示制御手段に対して予め交通規制を示す所定表示をしないようにすることもできる。
【００１３】
本発明に係る情報処理装置において、前記非規制道路表示制御手段は、前記規制領域の内部の前記非規制道路を、前記規制領域の外部の前記非規制道路と同一表示となるように、前記表示制御手段による前記規制領域への前記所定表示のうち前記非規制道路にされた前記所定表示を変更させる構成とすることができる。
【００１４】
このような構成によれば、前記非規制道路表示制御手段は、前記規制領域の内部の前記非規制道路を、前記規制領域の外部の前記非規制道路と同一表示となるように、前記表示制御手段による前記規制領域への前記所定表示のうち前記非規制道路にされた前記所定表示を変更させるので、規制領域の内部の非規制道路については、規制対象外であることを容易に認識することができる。例えば、規制領域の非規制道路の部分の前記所定表示を、非規制道路の表示が透過するように変更させることができる。すなわち、規制領域内の非規制道路の部分については、非規制道路の表示が透過するような着色とさせることで、規制対象外の道路であることを容易に認識させることが可能となる。
【００１７】
本発明に係る情報処理装置において、前記表示制御手段は、前記規制領域への前記所定表示を、所定の色の着色表示とする構成とすることができる。
【００１８】
このような構成によれば、規制領域内を所定の色で着色表示するので、規制範囲を容易に認識できる。この規制領域の内部の非規制道路については、非規制道路表示制御手段により前記規制領域の外部の非規制道路と同一表示とするので、規制領域内にあっても非規制道路であることが容易に認識できる。
【００１９】
本発明に係る情報処理装置の画面表示方法は、地図情報を表示する表示部の画面に、受信した交通情報に基づく表示を前記地図情報に表示する情報処理装置の画面表示方法であって、交通規制される規制領域に関する領域規制情報を取得する領域規制情報取得ステップと、道路を交通規制する道路規制情報及び前記地図情報に基づいて、前記規制領域の内部で、交通規制のされていない非規制道路に関する非規制道路情報を取得する非規制道路情報取得ステップと、前記表示部の画面上の前記規制領域に交通規制を示す所定表示を行う表示制御ステップと、前記規制領域の内部の前記非規制道路について、前記規制領域の外部の非規制道路と同一表示とする非規制道路表示制御ステップと、を有し、前記非規制道路表示制御ステップは、前記表示部の画面上に表示される地図情報の表示縮尺が所定数以上のときに、前記規制領域の内部の前記非規制道路について、前記規制領域の外部の前記非規制道路と同一表示とする構成となる。
【発明の効果】
【００２０】
本発明によれば、交通規制される規制領域について交通規制を示す所定表示がされるとき、前記規制領域の内部の非規制道路については、規制領域の外部の非規制道路と同一表示とするので、規制領域の内部にあっても当該道路は規制対象外であることを容易に認識することができる。
【図面の簡単な説明】
【００２１】
【図１】図１は、本発明の実施の形態に係る情報処理装置である車載装置を構成するブロック図である。
【図２】図２は、本発明の実施の形態に係る情報処理装置である車載装置の処理ユニットによる手順を示す。
【図３】図３は、図１に示す表示部の自車両の位置を含む地図情報を表示した表示画面の概略図である（その１）。
【図４】図４は、図１に示す表示部の自車両の位置を含む地図情報（縮尺が所定数未満の場合）を表示した表示画面の概略図である（その２）。
【図５Ａ】図５Ａは、地図情報表示画面における交通規制領域を示す概略図である。
【図５Ｂ】図５Ｂは、地図情報表示画面をメッシュ状に区分けした区分図と該区分図に設けた規制領域を形成する複数の領域点を表示した概略図である。
【発明を実施するための形態】
【００２２】
本発明の実施の形態について図面を用いて説明する。
【００２３】
本発明の実施の形態に係る情報処理装置である車載装置は、図１に示すように構成される。
【００２４】
図１に示すように、車載装置１１は、コンピュータユニット（例えば、ＣＰＵ、ＲＯＭ、ＲＡＭ、Ｉ／Ｏインターフェース及びこれらを接続するバスを含む）により構成される処理ユニット１２を有する。処理ユニット１２は、道路交通情報通信システムであるＶＩＣＳからの交通情報を受信するＶＩＣＳ受信部１３と接続されている。このＶＩＣＳ受信部１３は、ＶＩＣＳにより提供される交通情報が電波ビーコン、光ビーコンにより提供される場合には所定のビーコンユニットが相当し、ＦＭ多重放送により提供される場合にはＦＭ受信装置が相当する。また、処理ユニット１２には、各種音源及び映像源（例えば、ＣＤ及びＤＶＤ）の再生処理が可能なＡＶユニット１５及び自車両のナビゲーションが可能なナビゲーションユニット１６が接続されている。また、処理ユニット１２には、スピーカ１７が出力回路１８を介して接続されている。これによって、上記したＶＩＣＳによる交通情報に係る音声信号、ＡＶユニット１５及びナビゲーションユニット１６による処理に係る音声信号を、出力回路１８を介してスピーカ１７から音声として出力することが可能となっている。
【００２５】
処理ユニット１２には、ＡＶユニット１５及びナビゲーションユニット１６において利用する楽曲情報及び地図情報等の各種情報を記憶する記憶部２１（例えば、ハードディスク、フラッシュメモリ等の半導体メモリ）と、ＬＣＤ等によって構成される各種処理に伴う映像、ナビゲーションモードによる自車両位置を示す地図情報を表示する表示部２６と、表示部２６上にタッチパネル形式にて形成される各種処理に必要な指示を入力可能な操作部２７とが接続されている。上記した記憶部２１には、ＶＩＣＳ受信部１３により受信した交通情報（交通規制情報を含む）も記憶される。
【００２６】
上記した構成の車載装置１１では、図２に示すような手順で処理がなされる。
【００２７】
図２に示すように、車載装置１１がナビゲーションモードに設定されると、処理ユニット１２は、ナビゲーションユニット１６（ＧＰＳ装置、ジャイロ装置、加速度センサ等を含む）を作動させ、記憶部２１に記憶される地図情報等に基づいて表示部２２の画面上に、自車両の位置を含む地図情報を表示する（Ｓ１１）。地図表示の縮尺等については、操作部（タッチパネル等）２３へのタッチ操作等により入力設定することができる。なお、後述するように、地図表示の縮尺が所定数以上のときに、規制領域を着色等により規制表示を行う場合でも規制領域の内部にある非規制道路については規制領域の外部の非規制道路と同一の表示とするものである。縮尺が所定数より小さいときには、上記表示の違いを認識できないので、認識可能な所定数以上の縮尺のときに規制領域内の非規制道路を外部の非規制道路と同一表示としたものである。
【００２８】
処理ユニット１２は、上記したように、ナビゲーションモードが設定された車載装置１１の表示部２２の画面上への地図情報の表示後、道路交通情報通信システム（ＶＩＣＳ）による交通情報をＶＩＣＳ受信部１３で受信する（Ｓ１２）。ＶＩＣＳにより提供される交通情報は、いわゆるＶＩＣＳセンターが収集、処理、編集した各種交通情報を電波ビーコン、光ビーコン、ＦＭ多重放送により提供されるもので、ＶＩＣＳ受信機（ビーコンユニット、ＦＭ受信機等）により受信して車載装置の表示部の画面上に文字、図形等により表示される。ＶＩＣＳによる上記各種交通情報には、道路渋滞情報、予想所要時間、事故・工事情報、故障車・落下物情報、速度・車線規制情報、パーキングエリア受入情報、料金所渋滞情報等が含まれる。さらにＶＩＣＳによる交通情報には、交通規制がなされる領域である規制領域を所定表示により地図上に重畳表示するサービスが追加運用される（図５Ａ、図５Ｂ参照）。
【００２９】
処理ユニット１２は、受信した上記交通情報の中に、所定の領域内を交通規制する領域規制情報の有無を判断し（Ｓ１３）、領域規制情報が有るときは（Ｓ１３のＹＥＳ）、これを領域規制情報として取得すべく、記憶部２１に記憶する（Ｓ１４）。記憶部２１に記憶された領域規制情報には、交通規制された規制領域を特定する位置情報、交通規制の内容及び規制時間等が含まれる。
【００３０】
処理ユニット１２は、受信した交通情報に含まれる道路情報から上記取得した規制領域の内部にある道路で、規制対象外となる非規制道路の有無を判断する（Ｓ１５）。道路は、リンクデータ（道路データ）とノードデータ（交差点データ）で構成、管理されており、ＶＩＣＳ交通情報においても渋滞等の発生した道路を特定すべく、リンクデータ等により管理されている。したがって、領域規制情報、道路情報及び地図情報等に基づいて、規制領域の内部にある道路で、交通規制の対象外である非規制道路に関する情報を抽出することができ、規制領域の内部における非規制道路の有無が判断可能である。
【００３１】
交通規制がなされる規制領域は、上述したように位置座標を地図上に複数個設け、隣接する位置座標を線で結んで形成されるものであるが、位置座標の設定個数には限りがあり、規制領域の縁部等では非規制道路を含めてしまうことがある。また、非規制道路が蛇行する形状のときはその一部が規制領域に含まれることがある。したがって、規制領域を特定する所定の表示、例えば規制領域全体を着色表示するときは、規制領域の内部にある上記非規制道路については着色表示が及び、規制対象と錯誤して無用な通行回避等の弊害が生じる。
【００３２】
上記弊害を防止すべく、処理ユニット１２は、規制領域に交通規制がなされたことを示す所定表示として、所定の色で着色表示すると共に（Ｓ１６：表示制御手段）、規制領域の内部にある非規制道路については、上記着色表示後に、規制領域の外部の非規制道路と同一表示すべく、規制領域の外部の非規制道路と同一着色に再描画する（Ｓ１６：非規制道路表示制御手段）。
【００３３】
図３に示すように、車載装置（不図示）の表示部２２の表示画面２２ａには、地図表示として走行中の自車両の位置を示す位置表示３１が道路部分３２ａ、３２ｂ及び３２ｃから成る道路３２の道路部分３２ａ上に表示されている。表示画面２２ａ上には、上記道路３２の他に、道路部分３３ａ、３３ｂ及び３３ｃから成る道路３３並びに道路部分３５ａ、３５ｂ及び３５ｃから成る道路３５が表示されている。さらに、この表示画面２２ａには、祭礼等のイベントが行われるため、所定時間内は全面車両通行禁止の交通規制がなされる規制領域３７が設定されている。規制領域３７については、交通規制がされていることを表示するために、規制領域３７の内部全域を着色表示している。これにより、地図表示された表示画面２２ａから規制領域３７を容易に視認することができる。
【００３４】
図３に示すように、規制領域３７内を通過する道路３２、３３及び３５のうち、道路部分３２ｂ、３３ｂ及び３５ｂが規制領域３７内に位置する。したがって、上記規制領域３７の着色表示からは上記道路部分３２ｂ、３３ｂ及び３５ｂも全面車両禁止になるものと把握される可能性がある。しかしながら、交通情報に含まれる道路規制情報、領域規制情報及び地図情報等によると、道路部分３３ｂ、３５ｂが全面車両禁止となっており、道路部分３３ｂは交通規制の対象外であり、道路３２は非規制道路であることが判明した。これは、複数の位置座標の設定とこれらを線で結んだ規制領域の形成において、道路部分３２ｂが規制領域に含まれたことによる。
【００３５】
そこで、上述したように処理ユニット１２は、規制領域３７内に交通規制を示す所定の色に着色表示すると共に（Ｓ１６：表示制御手段）、規制領域３７の内部に位置するものの交通規制の対象外である非規制道路となる道路部分３２ｂを、規制領域３７の外部の非規制道路である道路部分３２ａ、３２ｃ等と同一表示となるように、再描画を行った（Ｓ１６：非規制道路表示制御手段）。上記再描画は、規制領域３７内の上記道路部分３２ｂを道路部分３２ａ、３２ｃ等と同一色にして行うものである。これにより、道路部分３２ａ、３２ｂ及び３２ｃから成る道路３２は、交通規制の対象外の非規制道路であり、通行可であることが容易に認識できる。このようにすることで、規制領域３７内に非規制道路が含まれていても、規制の対象外であることを容易に表示することができる。
【００３６】
処理ユニット１２は、規制領域３７を示す領域規制情報が解除され、又は画面上から規制領域３７が外れたときには、自車両を示す記号３１を含む地図情報の画面の表示を継続し、ナビゲーションモード設定を解消等による地図表示終了となったときは（Ｓ１７のＹＥＳ）、画面表示を終了する。また、ナビゲーションモードの継続により地図表示を続行するときは（Ｓ１７のＮＯ）、交通情報を取得し（Ｓ１２）、これに交通規制情報が含まれるか否かを判定して（Ｓ１３）、上記処理を繰り返す。
【００３７】
図３を参照して説明したように、規制表示のために着色表示された規制領域３７内の非規制道路である道路部分３２ｂを、規制領域３７外の非規制道路である道路部分３２ａ、３２ｃと同一表示となるように、これらと同一の色で再描画したものであるが、再描画する替わりに道路部分３２ｂの部分には規制表示のための着色表示を施さない、又は道路部分３２ｂにされた上記着色表示を解除することによって、規制領域３７外の非規制道路である道路部分３２ａ、３２ｃと同一表示とすることができる。さらには、道路部分３２ｂにされる着色表示のみを透過色にして、道路部分３２ｂの本来の表示が透過されることでも規制領域３７外の非規制道路である道路部分３２ａ、３２ｃと同一表示とすることができる。
【００３８】
本実施形態では、規制領域３７内に交通規制を示す所定表示である、所定の色による着色表示を行ったときに、規制領域３７内の非規制道路について、規制対象外であることを示すために規制領域３７外の非規制道路と同一表示とすることにしたが、このように同一表示とするのは、表示画面２２上に表示される地図情報の表示の縮尺が所定数以上のときに限られるようにできる。例えば、縮尺が１／５０以上のときに上記同一表示となるようにして、規制領域内の非規制道路を規制対象外であることを明確にすることができる。これに対し、縮尺が所定数未満、例えば１／５０未満（１／１００等）のときには、図４に示すように、視覚により上記同一表示の有無を判断することが難しいことから、上記同一表示とすることをしていない。図４では、規制領域３７内の道路部分３２ｂは非規制道路に含まれるが、画面上に表示される地図の縮尺の数値が小さく、道路部分３２ｂを非規制道路である道路部分３２ａ、３２ｃと同一表示とはしておらず、非規制道路である道路部分３２ｂは、規制道路である３３ｂ、３３５ｂと同様、上記着色表示されている。例えば、自車両が規制領域３７に接近し、縮尺が所定数以上となったときには図４の画面表示から図３の画面表示に変わるようになり、規制領域３７内の非規制道路（道路部分３２ｂ）について、規制領域３７外の非規制道路（道路部分３３ａ、３３ｃ等）と同一表示となるので、道路部分３７ｂが非規制道路であることが把握できる。
【産業上の利用可能性】
【００３９】
以上、説明したように、本発明に係る情報処理装置は、交通規制される規制領域に交通規制を示す所定表示がされる場合でも、規制領域の内部の非規制道路については、規制領域の外部の非規制道路と同一表示とするので、当該道路は規制対象外であることを容易に認識することができるという効果を奏し、地図情報を表示する表示部の画面に、受信した交通情報に基づく表示を前記地図情報に表示する情報処理装置及び該情報処理装置の画面表示方法として有用である。
【符号の説明】
【００４０】
１１    車載装置
１２    処理ユニット
１３    ＶＩＣＳ受信部
１５    ＡＶユニット
１６    ナビゲーションユニット
１７    スピーカ
１８    出力回路部
２１    記憶部
２２    表示部
２３    操作部（タッチパネル等）
【図１】
0006391525.tif 000002
【図２】
0006391525.tif 000003
【図３】
0006391525.tif 000004
【図４】
0006391525.tif 000005
【図５Ａ】
0006391525.tif 000006
【図５Ｂ】
0006391525.tif 000007